(57)【要約】【課題】コンタクトガラス面に付着したローラの削れ粕や原稿の紙粉、または塵や埃などの異物をコンタクトガラス面から確実に取り除くと共に、取り除いた塵埃が再び原稿のコンタクトガラス面の読取位置に付着することがなく、良好な読取画像を得ることのできる原稿読取装置を提供する。【解決手段】  原稿を読み取るためのコンタクトガラスの上面に接触するように設けられたクリーニング部材と、コンタクトガラス面の異物を収納する溝部を有する収納部材と、コンタクトガラスとクリーニング部材を相対移動させるための移動手段と、を設け、クリーニング部材におけるコンタクトガラス面との接触部が読取位置を越えて収納部材の溝部の開口位置まで移動するよう制御した。【選択図】図２
2011188086.tif 000002
【特許請求の範囲】
【請求項１】
原稿を読み取る読取位置が設けられたコンタクトガラスと、このコンタクトガラス上に原稿を搬送する搬送手段と、前記搬送手段にて搬送される原稿を前記読取位置の下方で静止して読み取る読取手段と、を備えた原稿読取装置において、
少なくともその一部がコンタクトガラスの上面に接触するように設けられたクリーニング部材と、コンタクトガラスの一端部に隣接して配置され、コンタクトガラス面の異物を収納する溝部を有する収納部材と、前記コンタクトガラスとクリーニング部材を相対移動させるための移動手段と、前記クリーニング部材における前記コンタクトガラス面との接触部が前記読取位置を越えて前記収納部材の溝部の開口位置まで移動するように前記移動手段を制御する制御手段と、を設けたことを特徴とする原稿読取装置。
【請求項２】
前記クリーニング部材を前記コンタクトガラス面側に押圧する押圧部材を備えたことを特徴とする請求項１に記載の原稿読取装置。
【請求項３】
前記収納部材はその溝部の開口の前記コンタクトガラス側の一部を遮蔽する遮蔽部を有することを特徴とする請求項１に記載の原稿読取装置。
【請求項４】
前記制御手段は、前記移動手段を前記クリーニング部材の前記コンタクトガラス面との接触部が前記収納部材の遮蔽部を超えて遮蔽部の開口位置まで移動するように制御することを特徴とする請求項３に記載の原稿読取装置。
【請求項５】
前記収納部材は前記コンタクトガラスから排出された原稿を下流側に案内する原稿搬送ガイド部材を兼ねることを特徴とする請求項４に記載の原稿読取装置。
【請求項６】
前記移動手段は、前記コンタクトガラスに対して前記クリーニング部材を移動させることを特徴とする請求項１に記載の原稿読取装置。
【請求項７】
前記移動部材は前記クリーニング部材を原稿搬送方向の上流側から下流側に向かって移動させることを特徴とする請求項５に記載の原稿読取装置。
【発明の詳細な説明】
【技術分野】
【０００１】
本発明は、コンタクトガラス面上を所定の速度で移動する原稿を読み取る原稿読取装置に関し、詳しくは原稿を読み取るためのコンタクトガラス面をクリーニングするクリーニング機構に関する。
【背景技術】
【０００２】
一般に、ファクシミリ装置やデジタル複写機等の画像読取装置における原稿搬送機構は、原稿搬送路の途中に設けられたコンタクトガラスの下方に配置された読取手段を固定し、コンタクトガラス面上で原稿を一定速度で搬送しながら原稿画像を読み取るシートスルー読取方式が採用されている。
【０００３】
従来のシートスルー読取方式の原稿搬送機構においては、互いに接触する一対のローラで原稿を挟んで搬送している。このローラ対の少なくとも一方は、原稿の搬送性能の高めるための摩擦係数の高い軟質のゴム等が使用される。
【０００４】
このようなローラは軟質のゴム材でできているために原稿を挟んで搬送する際の磨耗により削れ粕が生じる。この削れ粕の一部は直接搬送原稿に付着してコンタクトガラス面上に落ちて付着して、読取画像に黒点や黒スジが生じる問題の原因となる。
【０００５】
また、コンタクトガラス面上にはローラの削り粕だけでなく、原稿の紙粉や原稿のインク、トナー、鉛筆の黒鉛等の汚れが付着する。これらによるコンタクトガラス面の汚れは読取画像の黒スジの大きな原因となっている。
【０００６】
このような問題を解決するために様々な提案がなされている。例えば、特許文献１には、原稿を読み取るためのコンタクトガラスに接し、コンタクトガラスをクリーニングする清掃ローラを備え、所定のタイミングで清掃ローラを自動的に回転させることによってコンタクトガラスをクリーニングするものが知られている。
【０００７】
また、特許文献２には、コンタクトガラス上に接触するガイドシートをコンタクトガラス上の読取位置よりも原稿搬送方向上流側に設置し、コンタクトガラスまたはガイドシートを相対的に往復移動させることによって、ガラス面上の異物を除去するものが知られている。
【先行技術文献】
【特許文献】
【０００８】
【特許文献１】特開２００２−６４６８６号公報
【特許文献２】特開２００７−２３５２５２号公報
【発明の概要】
【発明が解決しようとする課題】
【０００９】
しかしながら、前者の清掃ローラはコンタクトガラス面上の読取位置を含む狭い範囲をクリーニングするものであり、また後者のガイドシートもコンタクトガラス面上の読取位置の前後の狭い範囲で往復移動するものである。このため、清掃ローラまたはガイドシートを用いたもののいずれもコンタクトガラス面上の読取位置の異物は除去されるが、除去された異物はコンタクトガラス面上に留まることとなる。このようなコンタクトガラス面上に留まった異物は装置の振動やコンタクトガラス面の空気の流れなどによって再びコンタクトガラス面上に散乱し、読取位置に異物が付着するとの問題が生じる。
【００１０】
本発明は、コンタクトガラス面に付着したローラの削れ粕や原稿の紙粉、または塵や埃などの異物をコンタクトガラス面から確実に取り除くと共に、取り除いた塵埃が再び原稿のコンタクトガラス面の読取位置に付着することがなく、良好な読取画像を得ることのできる原稿読取装置を提供することを目的とする。
【課題を解決するための手段】
【００１１】
本発明は、上記目的を達成するため、少なくともその一部がコンタクトガラスの上面に接触するように設けられたクリーニング部材と、コンタクトガラスの一端部に隣接して配置され、コンタクトガラス面の異物を収納する溝部を有する収納部材と、コンタクトガラスとクリーニング部材を相対移動させるための移動手段と、クリーニング部材におけるコンタクトガラス面との接触部が読取位置を越えて収納部材の溝部の開口位置まで移動するように移動手段を制御する制御手段と、を設けた。
【発明の効果】
【００１２】
コンタクトガラスとクリーニング部材を移動手段によって相対移動させることで、プラテンガラス面上から異物を排除することができる。また、クリーニング部材におけるコンタクトガラス面との接触部を収納部材の溝部の開口位置まで移動させたので、排除した異物を収納部に確実に収納させることができる。
【図面の簡単な説明】
【００１３】
【図１】本発明に係る原稿読取装置の構成を示す断面図である。
【図２】本発明の原稿読取装置の読取部の構造を示す拡大断面図である。
【図３】本発明のクリーニング機構の駆動機構を示す上面図である。
【図４】クリーニング部材が移動した状態を示す状態図である。
【図５】クリーニング部材がホームポジション位置に移動した状態を示す状態図である。
【図６】クリーニング機構によるクリーニング動作制御を示すフローチャート図である。
【図７】クリーニング部材によって収納部の開口から収納部内に異物が落下する状態を示す状態図である。
【図８】クリーニング部材の変形例を示す断面図である。
【図９】本発明の第２の実施の形態における読取部を示す断面図である。
【図１０】本発明の第３の実施の形態における読取部を示す断面図である。
【発明を実施するための形態】
【００１４】
図１は本発明に係る原稿読取装置の全体構成が示されており、この原稿読取装置は、原稿読取装置本体Ｈと、その上に搭載される原稿搬送装置Ａとで構成されている。
【００１５】
また、原稿搬送装置Ａを原稿読取装置本体Ｈの上面に対して開閉自在に支持するヒンジ装置（図示せず）を備える。
【００１６】
図１に示されるように原稿読取装置本体Ｈの上面には、原稿搬送装置Ａによって搬送される原稿を読み取るためのコンタクトガラス１とブック物等の静止した原稿を読み取るためのコンタクトガラス７とが設けられ、原稿搬送装置Ａはコンタクトガラス７に原稿を載置するために原稿読取装置本体Ｈの上面を開閉可能するようにヒンジ装置によって取り付けられている。
【００１７】
原稿読取装置本体Ｈは、原稿画像を読取るための読取機構を備えている。この読取機構は、コンタクトガラス１上に搬送された原稿にランプ光を照射する光源２と、搬送原稿からの反射光を所定の方向に導く複数のミラー３と、複数のミラー３により導かれた反射光を収束するレンズ４と、レンズ４により収束された光を光電変換するＣＣＤ５と、から構成される。
【００１８】
前記原稿搬送装置Ａは、複数枚の原稿を載置する給紙トレイ１０と、この給紙トレイ１０から一枚ずつ繰り出された原稿を上述した原稿読取装置本体Ｈのコンタクトガラス１上に搬送する搬送経路１１と、コンタクトガラス１上を通過した原稿を収納する排紙トレイ１２とを備える。
【００１９】
また、前記搬送経路１１には、給紙トレイ１０から原稿を繰り出すための繰出ローラ１３、繰り出された原稿を分離して搬送経路１１に給紙するための給紙ローラ１４及び分離パッド１５、一枚に分離された原稿を送るレジストローラ対１６、コンタクトガラス１の上流側に配置される搬入ローラ対１７および下流側に配置される搬出ローラ対１８、原稿を排紙トレイ１２に排紙する排紙ローラ対１９とで構成されている。
【００２０】
そして、給紙トレイ１０上に載置された原稿は、繰出ローラ１３によって繰り出された後に給紙ローラ１４と分離パッド１５によって一枚に分離されて給紙される。一枚に分離された原稿はレジストローラ対１６によってその先端が整合され、レジストローラ対１６及び搬入ローラ対１６によってコンタクトガラス１上に供給される。コンタクトガラス１上に供給された原稿は一定速度で読取位置を通過して搬出ローラ対１７、排紙ローラ対１９によって排紙トレイ１２に排紙される。なお、原稿が一定速度で読取位置を通過する過程において上述した読取機構によって原稿画像が読み取られる。
【００２１】
また、原稿搬送装置Ａは原稿の両面を読み取るための循環経路２０を備えており、排紙ローラ対１９を正逆転させることによって原稿をスイッチバックさせ、循環経路２０を介して原稿の表裏を反転させ再びのコンタクトガラス１上に搬送するように構成されている。
【００２２】
図２は、原稿読取装置の読取部の構造を拡大した斜視図である。読取部は、コンタクトガラス１と、このコンタクトガラス１に対向して配置されたバックアップガイド２５と、原稿をコンタクトガラス１の上面にスムーズに案内するための可撓性のフィルムガイド２７と、コンタクトガラス１面から原稿を掬い上げるための掬上げガイド４０と、で構成されている。なお、可撓性のフィルムガイド２７は後述するクリーニング機構のフィルム部材３０をコンタクトガラス１に押圧する機能も併せて有している。
【００２３】
また、本実施の形態においては、この読取部にコンタクトガラス１の上面の埃や塵などの異物を除去するクリーニング機構と、クリーニング機構によって除去された異物を収納する収納する収納部４１が掬上げガイド４０と一体で形成されている。
【００２４】
クリーニング機構は、その先端部がコンタクトガラス１に接触して移動することによってコンタクトガラス１の上面の異物を除去するクリーニング部材としてのフィルム部材３０と、フィルム部材３０をコンタクトガラス１に接触した状態でスライド移動させるための駆動機構とからなる。
【００２５】
フィルム部材３０は原稿搬送装置Ａの底面に配置され、その先端が読取位置Ｘの上流に位置する。また、フィルム部材３０は原稿の搬送経路の一部を形成するフィルムガイド２７に押圧されてコンタクトガラス１の上面に圧接されている。このフィルムガイド２７の押圧作用によって、フィルム部材３０はコンタクトガラス1の上面から離間することなく移動し、確実に異物を除去することができる。
【００２６】
図３はクリーニング機構を作動させるための駆動機構を説明するための上面図である。この図３及び図２に基づき駆動機構について説明すると、駆動機構はフィルム部材３０が取り付けられたラック３１と、このラック３１に歯合するピニオン３２と、ピニオン３２を駆動するための駆動モータ３６と、駆動モータ３６の駆動をピニオン３２に伝達するための複数のギヤ３４、３５で構成されている。また、これらのラック３１、ピニオン３２、複数のギヤ３４、３５は、図３に示すように原稿搬送装置Ａのシートの幅方向の搬送領域外の一端側に設けられており、他端側にもラック６１、ピニオン６２、ギヤ６４が設けられている。そして、ギヤ３４とギヤ６４とは軸６５によって連結されており、駆動モータ３６の駆動は、モータ駆動軸に取り付けられたギヤ３５からギヤ３４を介してギヤ６４に伝達され、ギヤ６４に歯合したピニオン６２を回転させる。つまり、装置Ａのフロント側とリア側の両側、すなわちフィルム部材３０の幅方向の両側にラック３１、６１がそれぞれ取り付けられており、それらに歯合するピニオン３２、６２は単一の駆動モータ３６で駆動するように構成している。
【００２７】
そして、駆動モータ３６を正逆転することによってフィルム部材３０がコンタクトガラス１に対して往復動作するようにしている。また、図５に示すようにフィルム部材３０が取り付けられたラック３１には検出フラグ３７が設けられており、原稿搬送装置Ａの図３に示される側板６８に取り付けられたホームポジションセンサ３８が検出フラグ３７を検出することによって、フィルム部材３０を所定の初期位置（ホームポジション位置）に停止させる。
【００２８】
収納部４１は、図２に示すように掬い上げガイド４０の原稿搬送方向上流側の部分に形成された収納溝４１ａを有し、その上部にはフィルム部材３０の移動によって運ばれた異物が落下して収納溝４１ａ内に進入させるための開口４１ｂが設けられている。また、開口の原稿搬送方向上流側の一部には、収納溝４１ａの上部の一部を塞ぐように設けられた遮断部４１ｃが形成されており、この遮断部４１ｃによって収納溝４１ａ内に集積された異物を収納溝４１ａ内に留めておくことができる。なお、本実施の形態では、掬い上げガイド４０に収納部４１を形成するようにしたが掬い上げガイド４０と収納部４１を別々な部材で構成してもよい。
【００２９】
次に、クリーニング機構によるクリーニング動作を図４の動作説明図及び図６のフローチャート図に基づき説明する。本実施の形態において、クリーニング動作は給紙トレイ１０上の積載原稿の１枚目が給紙される前に実行させる。
【００３０】
クリーニング動作は、先ず駆動モータ３６を正転させる（ＳＴ１）。これによって、初期位置Ｐ１に位置したフィルム部材３０の先端部がコンタクトガラス１の上面に摺接しながら原稿搬送方向に移動し、コンタクトガラス１上の異物を除去する。そして、フィルム部材３０が移動する距離Ｌに相当する駆動量が回転されると駆動モータ３６を停止する（ＳＴ２〜ＳＴ３）。このとき、図４に示すようにフィルム部材３０の先端は収納部４１の開口位置Ｐ２に到達して停止する。これによって、コンタクトガラス１の上面の異物はフィルム部材３０の先端部の移動に伴って収納部４１の開口までは運ばれる。そして、運ばれた異物は図７に示すように収納部４１の開口から収納部４１内に落下して収納される。
【００３１】
その後、駆動モータ３４を逆転させて、フィルム部材３０を読取位置の上流側に移動させる（ＳＴ４）。そして、ホームポジションセンサ３６がラック３１に設けられた検出フラグ３７を検出すると駆動モータ３４を停止する（ＳＴ５〜ＳＴ６）。これによって、フィルム部材３０が初期位置Ｐ１に復帰し、待機状態となる。
【００３２】
なお、本実施の形態において、クリーニング動作は給紙トレイ１０上の積載原稿の１枚目が給紙される前に実行したが、原稿読取装置の電源投入時、原稿搬送装置の開閉動作を行ったとき、または原稿のジャム処理後などのタイミングで実行してもよい。
【００３３】
また、変形例として図８に示すようにフィルム部材３０の先端にスポンジなどの多孔質の弾性部材５０を取り付けてコンタクトガラスの上面を清掃するようにしてもよい。
【００３４】
（第２の実施の形態）
上述の実施の形態においては、原稿搬送装置Ａにクリーニング機構を設けたが、原稿読取装置本体Ｈにクリーニング機構を設けてもよい。この場合、図９に示すように異物を除去するフィルム部材７０は原稿読取装置本体Ｈの上面に配置され、このフィルム部材を移動させるラック７１とピニオン７２、駆動モータ７６、駆動伝達ギヤ７４、７５も原稿読取装置本体Ｈの装置内に設けられている。そして、上述の実施例と同様にラック７１とピニオン７２、駆動モータ７６、駆動伝達ギヤ７４、７５は原稿読取装置本体Ｈのリア側に配置され、図示しないがフロント側にはギヤ７４と同軸に取り付けられたギヤと、このギヤから駆動が伝達されるピニオンとピニオンに歯合するラックが設けられている。これによって、駆動モータ７６の駆動によってリア側のラック７１とフロント側のラックが同時に移動し、これらに取り付けられたフィルム部材７０を移動させる。
【００３５】
なお、この構成においても、フィルム部材７０はフィルムガイド２７によりコンタクトガラス１面側に押圧されており、読取位置Ｘの上流側の初期位置Ｐ１から収納部４１の開口位置Ｐ２との間をコンタクトガラス１の上面に摺接しつつ往復移動する。
【００３６】
（第３の実施の形態）
次に、第３の実施の形態について図１０に基づき説明する。上記実施の形態では、駆動モータ３６を用いてコンタクトガラス１に対してフィルム部材３０を移動させるように構成したが、図１０に示すようにフィルム部材９０に対してコンタクトガラス１を移動させるようにしてもよい。
【００３７】
この場合の構成を詳細に説明すると、フィルム部材９０は原稿搬送装置Ａの底面９１にビスなどの固定部材９２で固定されている。コンタクトガラス１は、異物を収納するための収納部材９５と、コンタクトガラス１を移動させるためのラック９６と一体でユニット化されている。そして、コンタクトガラス１を有するユニット１００は、ラック９６と歯合するピニオン９７と複数の伝達ギヤ９８、９９と伝達ギヤ９８、９９を介してピニオン９７を回転させる駆動モータ１０１とにより原稿搬送方向に往復スライド移動する。
【００３８】
このような構成によって、駆動モータを正逆転させることによって、フィルム部材９０の先端が読取位置Ｘの上流側位置Ｐ３から収納部材の開口位置Ｐ４に到達する距離Ｌ２だけユニット１００を移動し、コンタクトガラス１の上面の異物をフィルム部材９０によって除去する。なお、除去された異物は収納部材９５に落下して収納される。
【００３９】
なお、図１０に示すように収納部材９５の開口部９５Ｃはクリーニング動作時以外の通常時には掬い上げ部材１０２の底面によって１０２ａによって遮断されており、収納された異物が外部に散乱することがないように構成されている。
【００４０】
上記実施の形態によれば、フィルム部材の先端が読取位置の上流側の所定位置から読取位置の下流側に配置された収納部材の収納開口まで移動するように制御したので、コンタクトガラス１の上面から除去した異物が再びコンタクトガラス１の上面に散乱することを防止することができる。
【００４１】
また、クリーニング部材としてのフィルム部材をフィルムガイドによってコンタクトガラス側に押圧するようにしたので、フィルム部材がコンタクトガラス面に沿って確実に移動し、異物を除去することができる。
【符号の説明】
【００４２】
Ｈ    原稿読取装置
Ａ    原稿搬送装置
１    コンタクトガラス
２７  フィルムガイド（押圧部材）
３０  フィルム部材（クリーニング部材）
４０  掬上げガイド
４１  収納部（収納部材）
４１ａ  収納溝
４１ｂ  開口部
４１ｃ  遮断部
３１  ラック
３２  ピニオン
３６  駆動モータ
【図１】
2011188086.tif 000003
【図２】
2011188086.tif 000004
【図３】
2011188086.tif 000005
【図４】
2011188086.tif 000006
【図５】
2011188086.tif 000007
【図６】
2011188086.tif 000008
【図７】
2011188086.tif 000009
【図８】
2011188086.tif 000010
【図９】
2011188086.tif 000011
【図１０】
2011188086.tif 000012